(57)【要約】      （修正有） 【課題】新たに電気工事を行い配線処理をすることなく、現在使用している蛍光灯を個別に消灯、点灯させ、容易に蛍光灯に必要な電力の節電をすることができる蛍光灯スイッチ構造を提供する。【解決手段】蛍光灯装置のソケット部１１と、上記ソケット部に挿入固定される蛍光管１２の一方の電極部１３との間に装着される蛍光灯スイッチ構造であって、上記一方の電極部を蛍光管の軸方向に沿って移動可能に保持する保持部１４と、上記保持部を蛍光管の軸方向に沿って他方の電極部の方向へ移動させうる駆動部１５とを備える。上記ソケット部１１と上記電極部１３との間を離間又は接合することにより、上記蛍光管の点灯又は消灯を行う。【選択図】図１
0003171375.tif 000002
【実用新案登録請求の範囲】
【請求項１】
蛍光灯装置のソケット部と、上記ソケット部に挿入固定される蛍光管の一方の電極部との間に装着される蛍光灯スイッチ構造であって、
上記一方の電極部を蛍光管の軸方向に沿って移動可能に保持する保持部と、上記保持部を蛍光管の軸方向に沿って他方の電極部の方向へ移動させうる駆動部とを備え、上記ソケット部と上記電極部との間を離間又は接合することにより上記蛍光管の点灯又は消灯を行うことを特徴とする蛍光灯スイッチ構造。
【請求項２】
上記駆動部は、上記保持部を蛍光管軸方向に沿って移動させうるカム機構部と、上記カム機構部を間歇的に作動させうるラチェット機構部と、上記ラチェット機構部を作動させうるレバー部とを有し、
上記ラチェット機構部は、上記レバー部に形成されたラチェット爪と、上記ラチェット爪が係合するラチェット歯車部とからなり、上記カム機構部は、上記ラチェット歯車部の内周面部に形成されたカム原動部と、上記保持部に形成され、上記カム原動部に係合するカム従動部とからなることを特徴とする請求項１記載の蛍光灯スイッチ構造。
【請求項３】
短円筒状のフレーム部と、上記フレーム部内に回動可能に配設され、上記レバー部及びラチェット爪が形成された回動部と、上記回動部内に回動可能に配設され、外周面部には上記ラチェット歯部が設けられると共に内周面部にはカム原動部が設けられたラチェット歯車とを備え、
上記保持部は、短円筒状に形成されて上記ラチェット歯車の内方に配置され、上記蛍光管の電極部を保持する保持片部を有し、外周面部には上記カム原動部に係合するカム従動部を有することを特徴とする請求項２記載の蛍光灯スイッチ構造。
【請求項４】
上記カム原動部は上記ラチェット歯車の内周面部に側面山形状に形成されると共に、上記カム従動部は上記保持部の外周面部に側面山形状に形成され、上記ラチェット歯車の各歯は、上記カム原動部の山部及び谷部に対応して設けられていることを特徴とする請求項３記載の蛍光灯スイッチ構造。
【請求項５】
上記フレーム部は、上記ソケット部と、ソケット部に挿入固定される蛍光管の電極部との間に配置され、電極部に設けられた２本のピンが挿通される長孔を有することを特徴とする請求項１記載の蛍光灯スイッチ構造。
【請求項６】
上記保持片部は、円周方向に沿って３つ形成されていることを特徴とする請求項３記載の蛍光灯スイッチ構造。
【考案の詳細な説明】
【技術分野】
【０００１】
本考案は、蛍光灯スイッチ構造に係り、特に、個別の蛍光灯を消灯することができる蛍光灯スイッチ構造に関する。
【背景技術】
【０００２】
現在、日本では、特に東日本大震災以後、電力供給の事情から節電、省電力が奨励されており、各企業共に様々な節電対策が講じられている。
ビルや工場施設では、非常に多くの照明設備が備えられており、特に、蛍光灯は非常に多数設備されていることから、不必要な場合にはその都度消灯することを社員に指導している会社、工場も多い。
【０００３】
しかしながら、大きなビルや工場等においては、配線の関係上、多数個の蛍光灯を一つの区画毎に一つのスイッチで点灯／消灯するようにされていることが一般的であり、個別の蛍光灯又は蛍光管を点灯／消灯することはできない場合が多い。
【０００４】
従って、適宜、照明が不要な蛍光灯または蛍光管を個別に消灯するためには、別途新たな配線工事を施し、スイッチパネルを増設する必要があるが、このような電気工事を行う場合には相応の設備コストがかかり、容易には対応できない、という問題点があった。
【考案の開示】
【考案が解決しようとする課題】
【０００５】
本考案はこのような従来からの不具合を解決するためのものであって、その課題は、新たに電気工事を行い配線処理をすることなく、現在使用している蛍光灯又は蛍光管を個別に消灯、点灯させ、容易に蛍光灯に必要な電力の節電をすることができる蛍光灯スイッチ構造を提供することにある。
【課題を解決するための手段】
【０００６】
上記課題達成のため、請求項１記載の考案にあっては、蛍光灯装置のソケット部と、上記ソケット部に挿入固定される蛍光管の一方の電極部との間に装着される蛍光灯スイッチ構造であって、上記一方の電極部を蛍光管の軸方向に沿って移動可能に保持する保持部と、上記保持部を蛍光管の軸方向に沿って他方の電極部の方向へ移動させうる駆動部とを備え、上記ソケット部と上記電極部との間を離間又は接合することにより上記蛍光管の点灯又は消灯を行うことを特徴とする。
【０００７】
従って、請求項１記載の考案にあっては、上記保持部を駆動部により移動させることにより当該蛍光管を消灯又は点灯させることができる。
【０００８】
請求項２記載の考案にあっては、上記駆動部は、上記保持部を蛍光管軸方向に沿って移動させうるカム機構部と、上記カム機構部を間歇的に作動させうるラチェット機構部と、上記ラチェット機構部を作動させうるレバー部とを有し、上記ラチェット機構部は、上記レバー部に形成されたラチェット爪と、上記ラチェット爪が係合するラチェット歯車とからなり、上記カム機構部は、上記ラチェット歯車の内周面部に形成されたカム原動部と、上記保持部に形成され、上記カム原動部に係合するカム従動部とからなることを特徴とする。
【０００９】
従って、請求項２記載の考案にあっては、上記レバー部により上記ラチェット機構部を作動させた場合には、上記ラチェット歯車の回転によりカム原動部が動き、カム原動部に係合するカム従動部が動くことから、上記保持部が移動して蛍光管をソケット部から離間させ、又は蛍光管をソケット部に接合する。
【００１０】
請求項３記載の考案にあっては、短円筒状のフレーム部と、上記フレーム部内に回動可能に配設され、上記レバー部及びラチェット爪が形成された回動部と、上記回動部内に回動可能に配設され、外周面部には上記ラチェット歯車部が設けられると共に内周面部にはカム原動部が設けられたラチェット歯車とを備え、上記保持部は、短円筒状に形成されて上記ラチェット歯車の内方に配置され、上記蛍光管の電極部を保持する保持片部を有し、外周面部には上記カム原動部に係合するカム従動部を有することを特徴とする。
【００１１】
請求項４記載の考案にあっては、上記カム原動部は上記ラチェット歯車の内周面部に側面山形状に形成されると共に、上記カム従動部は上記保持部の外周面部に側面山形状に形成され、上記ラチェット歯車の各歯は、上記カム原動部の山部及び谷部に対応して設けられていることを特徴とする。
【００１２】
従って、請求項４記載の考案にあっては、上記レバー部のラチェット爪によりラチェット歯車を一つ回転させた場合には、カム原動部も山部又は谷部まで移動することから、カム原動部に係合するカム従動部がカム原動部の谷部から山部へ移動した場合には、保持部は電極部をソケット部から離間させ、カム従動部がカム原動部の山部から谷部へ移動した場合には、保持部は電極部をソケット部へ接合させる。
【００１３】
請求項５記載の考案にあっては、上記フレーム部は、上記ソケット部と、ソケット部に挿入固定される蛍光管の電極部との間に配置され、電極部に設けられた２本のピンが挿通される長孔を有することを特徴とする。
【００１４】
従って、請求項５記載の考案にあっては、電極部のピンは上記フレーム部の長孔を介してソケット部に接続される。
【００１５】
請求項６記載の考案にあっては、上記保持片部は、円周方向に沿って３つ形成されていることを特徴とする。
【考案の効果】
【００１６】
請求項１記載の考案に係る蛍光灯スイッチ構造は、上記一方の電極部を保持する保持部と、上記保持部を蛍光管の軸方向に沿って他方の電極部の方向へ移動させうる駆動部とを備え、上記ソケット部と上記電極部との間を離間又は接合することにより上記蛍光管の点灯又は消灯を行うことを特徴とし、上記保持部を駆動部により移動させることにより当該蛍光管を消灯又は点灯させることができることから、新たに電気工事を行い配線処理をすることなく、現在使用している蛍光灯を個別に消灯又は点灯させ、容易に蛍光灯に必要な電力の節電をすることができる蛍光灯スイッチ構造を提供することができる。
【００１７】
請求項２及び３記載の考案に係る蛍光灯スイッチ構造にあっては、上記レバー部により上記ラチェット機構部を作動させた場合には、上記ラチェット歯車の回転によりカム原動部が動き、カム原動部に係合するカム従動部が動き、上記保持部が移動して蛍光管をソケット部から離間させ、又は蛍光管をソケット部に接合するように構成されていることから、カム機構の作動をラチェット機構により制御することにより蛍光灯の消灯又は点灯を確実に行うことができる。
【００１８】
請求項４記載の考案にあっては、上記レバー部のラチェット爪によりラチェット歯車を一つ回転させた場合には、カム原動部も山部又は谷部まで移動することから、カム原動部に係合するカム従動部がカム原動部の谷部から山部へ移動した場合には保持部は電極部をソケット部から離間させ、カム従動部がカム原動部の山部から谷部へ移動した場合には、保持部は電極部をソケット部へ接合させるように構成されており、上記レバー部の一回の作動により保持部を前後動させることができ、容易かつ迅速に消灯又は点灯させることができる。
【００１９】
請求項５記載の考案にあっては、電極部のピンは上記フレーム部の長孔を介してソケット部に接続される。
請求項６記載の考案にあっては、上記保持片部は、円周方向に沿って３つ形成されていることから、蛍光管のソケット部を確実に保持してソケット部から離間又はソケット部へ接合させることにより、消灯又は点灯を行うことができる。
【図面の簡単な説明】
【００２０】
【図１】本考案に係る蛍光灯スイッチ構造の一実施の形態を示す断面図であって、保持部が後退しており、蛍光灯が点灯している状態を示す図である。
【図２】本考案に係る蛍光灯スイッチ構造の一実施の形態を示す断面図であって、保持部が前出しており、蛍光灯が消灯している状態を示す図である。
【図３】本考案に係る蛍光灯スイッチ構造の一実施の形態を示す斜視図であって、保持部が後退している状態を示す図である。
【図４】本考案に係る蛍光灯スイッチ構造の一実施の形態を示す斜視図であって、保持部が前出している状態を示す図である。
【考案を実施するための最良の形態】
【００２１】
以下、添付図面に示す実施の形態に基づき、本考案を詳細に説明する。
図１〜図４に示すように、本実施の形態に係る蛍光灯スイッチ構造１０は、全体として短円筒状に形成され、蛍光灯装置のソケット部１１と、上記ソケット部１１に挿入固定される蛍光管１２の一方の電極部１３との間に装着される。
【００２２】
図１及び図２に示すように、本実施の形態に係る蛍光灯スイッチ構造１０は、上記一方の電極部１３を蛍光管１２の軸方向に沿って移動可能に保持する保持部１４と、上記保持部１４を蛍光管１２の軸方向に沿って他方の電極部の方向へ移動させうる駆動部１５とを備え、上記ソケット部１１と上記電極部１３との間を離間又は接合することにより上記蛍光管１２の点灯又は消灯を行うように構成されている。
【００２３】
図１及び図２に示すように、上記駆動部１５は、上記保持部１４を蛍光管１２の軸方向に沿って移動させうるカム機構部１６と、上記カム機構部１６を間歇的に作動させうるラチェット機構部１７と、上記ラチェット機構部１７を作動させうるレバー部１８とを有している。
【００２４】
上記ラチェット機構部１７は、上記レバー部１８に形成されたラチェット爪１９と、上記ラチェット爪１９が係合するラチェット歯車２０とからなっている。
【００２５】
上記カム機構部１６は、上記ラチェット歯車１７の内周面部に形成されたカム原動部２１と、上記保持部１４に形成され、上記カム原動部１９に係合するカム従動部２２とからなる。
【００２６】
本実施の形態に係る蛍光灯スイッチ構造１０は、フレーム部２３と、上記フレーム部２３内に回動可能に配設され、上記レバー部１８及びラチェット爪１９が形成された回動部２４と、上記回動部２４内に回動可能に配設され、外周面部には上記ラチェット歯部２５が設けられると共に内周面部にはカム原動部２１が設けられたラチェット歯車２６とを備えている。
上記保持部１４は、短円筒状に形成されて上記ラチェット歯車２６の内方に配置され、上記蛍光管１２の電極部１３を保持する３つの保持片部２７、２７、２７を有し、外周面部には上記カム原動部２１に係合するカム従動部２２を有している。
上記３つの保持片部２７、２７、２７は、フレーム部２３の背面プレート３４に切欠き形成された空隙部３５、３５、３５内に、空隙部３５、３５、３５
の輪郭形状と同一の形態で配設されている。
【００２７】
本実施の形態にあっては、上記カム原動部２１は上記ラチェット歯車２５の内周面部に側面山形状（図示せず）に形成されると共に、上記カム従動部２２は上記保持部１４の外周面部に側面山形状（図示せず）に形成され、上記ラチェット歯車２６の各ラチェット歯部２５は、上記カム原動部の山部及び谷部に対応して設けられている。
【００２８】
上記フレーム部２３を構成する背面プレート３４には、上記ソケット部１１と、ソケット部１１に挿入固定される蛍光管１２の電極部１３との間に配置され、電極部１３に設けられた２本のピン２８、２８が挿通される長孔２９が設けられている。
【００２９】
なお、本実施の形態にあっては、上記レバー部１８には、レバー操作紐３２が固定されており、レバー操作紐３２を引くことにより、レバー１８を下方へ引くことができる。
上記フレーム部２３にはスプリング３３が内装され、スプリング３３は記レバー１８を常時上方へ付勢している。また、フレーム部２３の前面部にはカバー部材３０が固定され内部の機構を被覆している。
【００３０】
以下、本実施の形態に係る蛍光灯スイッチ構造１０の作用について説明する。
本実施の形態に係る蛍光灯スイッチ構造１０を取り付ける場合には、個別の蛍光灯の蛍光管１２とソケット部１１との間に配設する。
【００３１】
即ち、取り付けに当たっては、蛍光管１２を軸方向一方に寄せ、一方の電極部１３をソケット部１１から離間させて、上記電極部１３とソケット部１１との間に、電極部１３のピン２８、２８をフレーム部２３の長孔２９に挿通させた状態でソケット部１１へ接合させ、通常のスイッチ操作により点灯、消灯を行うことができる。
【００３２】
点灯する必要がなく、当該蛍光管１２を消灯させ節電を行いたい場合には、まず、レバー操作紐３２を下方へ引っ張り、レバー部１８を下方へ動かす。
この場合、レバー部１８に設けられたラチェット爪１９はラチェット歯車２０のラチェット歯部２５に係合していることから、レバー部１８の下方への動きにより、ラチェット歯車２０は下方へ回動する。
【００３３】
この場合、上記ラチェット歯車２６の各ラチェット歯部２５は、上記カム原動部２１の山部及び谷部に対応して設けられていることから、ラチェット歯部２５が一つ移動した場合には、カム原動部２１の山部又は谷部が一つずつ作動する。
上記カム原動部２１に係合しているカム従動部２３が設けられている保持部１４は、カム従動部２２がカム原動部２１の谷部から山部へ移動する場合には、保持部１４は前出する。
【００３４】
その結果、３つの保持片部２７、２７、２７は蛍光管１２の電極部１３の外側面部を保持していることから、蛍光管１２を蛍光管１２の軸方向に沿って、蛍光管１２の他の端部に向かって（図１中左方向へ）若干、移動させることから、電極部１３に設けられたピン２８、２８はソケット部１１の孔部から引き抜かれ通電しなくなる。従って、蛍光管１２は消灯する。
【００３５】
蛍光管１２を点灯したい場合には、再度、レバー操作紐３２を下方へ引っ張る。この場合、レバー部１８に設けられたラチェット爪１９はラチェット歯車２０のラチェット歯部２５に係合していることから、レバー部１８の下方への動きにより、ラチェット歯車２０は下方へ回動する。
【００３６】
この場合、上記ラチェット歯車２６の各ラチェット歯部２５は、上記カム原動部２１の山部及び谷部に対応して設けられていることから、上記カム原動部２１に係合しているカム従動部２３が設けられている保持部１４は、カム従動部２２がカム原動部２１の山部から谷部へ移動し、保持部１４は後退する。
その結果、３つの保持片部２７、２７、２７は蛍光管１２の電極部１３の外側面部を保持していることから、蛍光管１２を蛍光管１２の軸方向に沿って、蛍光管１２の端部に向かって（図２中右方向へ）移動することから、電極部１３に設けられたピン２８、２８はソケット部１１の孔部に再度挿入され、蛍光管１２に通電し、蛍光管１２は点灯する。
【００３７】
従って、本実施の形態に係る蛍光灯スイッチ構造１０にあっては、本蛍光灯スイッチ構造１０が装着された蛍光管１２のみを消灯又は点灯することができるため、個別の蛍光管の消灯及び点灯を行うことができる。
【００３８】
従って、既に家屋、ビル、工場等に配設されている蛍光灯装置に手軽に取り付け、何ら、新たな配線工事を施す必要なく、個別の蛍光管の消灯及び点灯を行うことができるため、個々の会社や、ビル、家庭での、蛍光灯の実際の使用事情に応じた省電力を行いたい、という要請に確実に対応することができる。
【産業上の利用可能性】
【００３９】
本考案は、個別の蛍光管を消灯又は点灯できる蛍光灯スイッチ構造に広く適用することができ、産業上の利用可能性を有している。
【符号の説明】
【００４０】
１０  蛍光灯スイッチ構造
１１  ソケット部
１２  蛍光管
１３  電極部
１４  保持部
１５  駆動部
１６  カム機構部
１７  ラチェット機構部
１８  レバー部
１９  ラチェット爪
２０  ラチェット歯車
２１  カム原動部
２２  カム従動部
２３  フレーム部
２４  回動部
２５  ラチェット歯部
２６  ラチェット歯車
２７  保持片部
２８  ピン
２９  長孔
３０  カバー部材
３１  プランジャー
３２  レバー操作紐
３３  スプリング      
【図１】
0003171375.tif 000003
【図２】
0003171375.tif 000004
【図３】
0003171375.tif 000005
【図４】
0003171375.tif 000006